(57)【要約】【課題】不使用時にトリガーレバーの回動を阻止するストッパ部材の操作性を向上する。【解決手段】ステム２７を貫挿して、そのステムまわりに回動可能に円筒状のストッパ部材２５を取り付ける。ストッパ部材には、鍔部２５ｃを設けて、その鍔部の外周にローレットを形成する。そして、ローレットに手を触れて回動して、ストッパ部材をロック解除位置としたときにのみステムが突き当たることなくステムの押し下げを可能とし、トリガーレバー２６を回動することによりステムを押し下げ、出口弁２０を開いて容器１０の内容物をステム内を通して先端の噴口３０ａから吐出可能とする。【選択図】図２
2008030798.tif 000002
【特許請求の範囲】
【請求項１】
トリガーレバーを回動してステムを押し下げ、出口弁を開いて容器の内容物を前記ステム内を通して先端の噴口から吐出する噴出装置において、
前記ステムを貫挿してそのステムまわりに回動可能に取り付け、回動してロック解除位置としたときにのみ前記ステムが突き当たることなくその押し下げを可能とする円筒状のストッパ部材を設け、
そのストッパ部材を回動するときに手が触れる該ストッパ部材の外周にローレットを有することを特徴とする噴出装置。
【請求項２】
前記ストッパ部材に鍔部を設け、その鍔部の外周に前記ローレットを有することを特徴とする、請求項１に記載の噴出装置。
【請求項３】
トリガーレバーを回動してステムを押し下げ、出口弁を開いて容器の内容物を前記ステム内を通して先端の噴口から吐出する噴出装置において、
外部操作により揺動可能にレバー状のストッパ部材を設け、そのストッパ部材を、それに前記トリガーレバーを突き当ててその回動を阻止するロック位置とそのトリガーレバーの回動阻止を解除するロック解除位置とに揺動自在とすることを特徴とする噴出装置。
【請求項４】
前記ストッパ部材の先端を前記トリガーレバーの開口から突出して外部操作により揺動可能とすることを特徴とする、請求項３に記載の噴出装置。
【請求項５】
トリガーレバーを回動してステムを押し下げ、出口弁を開いて容器の内容物を前記ステム内を通して先端の噴口から吐出する噴出装置において、
前記トリガーレバーに取り付けて外部操作により回動可能にレバー状のストッパ部材を設け、そのストッパ部材を、他の部材に突き当てて前記トリガーレバーの回動を阻止するロック位置とそのトリガーレバーの回動阻止を解除するロック解除位置とに回動自在とすることを特徴とする噴出装置。
【請求項６】
前記ストッパ部材を、外部操作レバーと、他の部材に突き当てる突き当てレバーと、それら外部操作レバーと突き当てレバーとを連結して前記トリガーレバーに取り付けることによりそれらを一体的に回動する支軸とで構成することを特徴とする、請求項５に記載の噴出装置。
【請求項７】
トリガーレバーを回動してステムを押し下げ、出口弁を開いて容器の内容物を前記ステム内を通して先端の噴口から吐出する噴出装置において、
前記ステムの作動方向と直交する方向に外部操作によりスライド可能にストッパ部材を設け、そのストッパ部材を、それに前記ステムを突き当ててその押し下げを阻止するロック位置とそのステムの押し下げ阻止を解除するロック解除位置とにスライド自在とすることを特徴とする噴出装置。
【請求項８】
前記ストッパ部材に、前記ロック位置としたとき前記ステムの突き当て突部と係合し、前記ロック解除位置としたとき前記突き当て突部との係合を解除する係合リブを備えることを特徴とする、請求項７に記載の噴出装置。
【請求項９】
請求項１ないし８に記載の噴出装置を備え、前記トリガーレバーを回動操作することにより前記噴出装置のシリンダ室の内容物を吐出して後、容器の内容物を前記シリンダ室に吸い上げることを特徴とする、ポンプ式噴出器。
【請求項１０】
請求項１ないし８に記載の噴出装置を備え、前記トリガーレバーを回動操作することにより容器の内容物を噴射剤の圧力で吐出することを特徴とする、エアゾール式噴出器。
【発明の詳細な説明】
【技術分野】
【０００１】
この発明は、トリガーレバーを回動してステムを押し下げ、出口弁を開いて容器の内容物をステム内を通して先端の噴口から外部へと吐出する、化粧用・消毒用・洗浄用・薬用・塗装用などのトリガー式噴出装置に関する。および、そのようなトリガー式噴出装置を容器の口部に取り付けて備え、使用時にトリガーレバーを回動操作することにより出口弁を開いて噴出装置のシリンダ室の内容物を吐出するとともに、容器の内容物をシリンダ室に吸い上げるポンプ式噴出器に関する。および、同じく上述したようなトリガー式噴出装置を容器の口部に取り付けて備え、使用時にトリガーレバーを回動操作することにより出口弁を開いて容器の内容物を噴射剤の圧力で吐出するエアゾール式噴出器に関する。
【背景技術】
【０００２】
従来、トリガー式噴出装置を備える噴出器の中には、例えば特許文献１に記載されるように、不使用時にノズルまわりに、ストッパ部材であるロック部材を外付けし、そのロック部材でトリガーレバーの回動を阻止するものがある。また、特許文献２に記載のように、ノズルまわりに、ストッパ部材であるロック部材を回動自在に組み付け、不使用時にはロック部材を回動してその操作部をカバーの割溝を通して外部に突出し、トリガーレバーの回動を阻止するものがある。
【０００３】
ところが、これらのいずれの噴出器も、見栄えが悪く、使用時はストッパ部材を外したり、またストッパ部材が外れやすい構成であったりしたから、ストッパ部材を紛失するおそれがあった。しかも、片手で簡単に操作することができず、操作性が悪いという問題点があった。
【０００４】
そこで、従来の噴出器の中には、例えば図１４に示すように、容器１の口部にトリガー式噴出装置２を取り付け、その噴出装置２に、ステム３を貫挿してそのステム３まわりに回動可能に円筒状のストッパ部材４を取り付け、そのストッパ部材４を回動してロック解除位置としたときにのみ、トリガーレバー６を回動したときステム３が突き当たることなくその押し下げを可能とするものがある（特許文献３参照）。
【０００５】
【特許文献１】特開２０００−２１０６０１公報
【特許文献２】特開２０００−２３３１４５公報
【特許文献３】特開２００３−１７０９７８公報
【発明の開示】
【発明が解決しようとする課題】
【０００６】
ところが、このような噴出器では、ストッパ部材４に取手部５を設け、その取手部５を持ってストッパ部材４を回動するようになっているので、ストッパ部材４を取り囲むトリガーレバー６や、そのトリガーレバー６を支持する支柱７が邪魔になってストッパ部材４の操作性が悪い問題があった。
【０００７】
そこで、この発明の目的は、不使用時にトリガーレバーの回動を阻止するストッパ部材の操作性を向上することにある。
【課題を解決するための手段】
【０００８】
そのため、請求項１および２に記載の発明は、トリガーレバーを回動してステムを押し下げ、出口弁を開いて容器の内容物を前記ステム内を通して先端の噴口から吐出する噴出装置において、
前記ステムを貫挿してそのステムまわりに回動可能に取り付け、回動してロック解除位置としたときにのみ前記ステムが突き当たることなくその押し下げを可能とする円筒状のストッパ部材を設け、
そのストッパ部材を回動するときに手が触れる該ストッパ部材の外周にローレットを有する、ことを特徴とする。
【０００９】
そして、ストッパ部材の外周のローレットに手を触れて回動することにより、使用時は、ストッパ部材をロック解除位置とし、トリガーレバーを回動してステムを押し下げ、出口弁を開いて容器の内容物をステム内を通して先端の噴口から吐出する一方、不使用時は、ストッパ部材をロック位置とし、そのストッパ部材に突き当ててステムの押し下げを不能とすることによりトリガーレバーの回動を阻止する。
【００１０】
ローレットは、例えば、円筒状のストッパ部材に鍔部を設けて、その鍔部の外周に形成する。
【００１１】
請求項３または４に記載の発明は、トリガーレバーを回動してステムを押し下げ、出口弁を開いて容器の内容物を前記ステム内を通して先端の噴口から吐出する噴出装置において、
外部操作により揺動可能にレバー状のストッパ部材を設け、そのストッパ部材を、それに前記トリガーレバーを突き当ててその回動を阻止するロック位置とそのトリガーレバーの回動阻止を解除するロック解除位置とに揺動自在とする、ことを特徴とする。
【００１２】
そして、外部操作によりストッパ部材を揺動することにより、使用時は、ストッパ部材をロック解除位置としてトリガーレバーの回動阻止を解除し、トリガーレバーを回動してステムを押し下げ、出口弁を開いて容器の内容物をステム内を通して先端の噴口から吐出する一方、不使用時は、ストッパ部材をロック位置としてそのストッパ部材にトリガーレバーを突き当ててその回動を阻止する。
【００１３】
レバー状のストッパ部材は、例えば、先端をトリガーレバーの開口から突出して外部操作により揺動可能とする。
【００１４】
請求項５および６に記載の発明は、トリガーレバーを回動してステムを押し下げ、出口弁を開いて容器の内容物を前記ステム内を通して先端の噴口から吐出する噴出装置において、
前記トリガーレバーに取り付けて外部操作により回動可能にレバー状のストッパ部材を設け、そのストッパ部材を、他の部材に突き当てて前記トリガーレバーの回動を阻止するロック位置とそのトリガーレバーの回動阻止を解除するロック解除位置とに回動自在とする、ことを特徴とする。
【００１５】
そして、外部操作によりストッパ部材を回動することにより、使用時は、ストッパ部材をロック解除位置としてトリガーレバーの回動阻止を解除し、トリガーレバーを回動してステムを押し下げ、出口弁を開いて容器の内容物をステム内を通して先端の噴口から吐出する一方、不使用時は、ストッパ部材をロック位置とし、トリガーレバーを回動したときそのトリガーレバーに取り付けるストッパ部材を他の部材に突き当ててトリガーレバーの回動を阻止する。
【００１６】
レバー状のストッパ部材は、例えば、外部操作レバーと、他の部材に突き当てる突き当てレバーと、それら外部操作レバーと突き当てレバーとを連結してトリガーレバーに取り付けることによりそれらを一体的に回動する支軸とで構成する。
【００１７】
請求項７および８に記載の発明は、トリガーレバーを回動してステムを押し下げ、出口弁を開いて容器の内容物を前記ステム内を通して先端の噴口から吐出する噴出装置において、
前記ステムの作動方向と直交する方向に外部操作によりスライド可能にストッパ部材を設け、そのストッパ部材を、それに前記ステムを突き当ててその押し下げを阻止するロック位置とそのステムの押し下げ阻止を解除するロック解除位置とにスライド自在とする、ことを特徴とする。
【００１８】
そして、ステムの作動方向と直交する方向にストッパ部材を外部操作によりスライドすることにより、使用時は、ストッパ部材をロック解除位置としてステムの押し下げ阻止を解除し、トリガーレバーを回動してステムを押し下げ、出口弁を開いて容器の内容物をステム内を通して先端の噴口から吐出する一方、不使用時は、ストッパ部材をロック位置とし、そのストッパ部材にステムを突き当ててその押し下げを阻止することによりトリガーレバーの回動を阻止する。
【００１９】
ストッパ部材には、例えば、ロック位置としたときステムの突き当て突部と係合し、ロック解除位置としたとき突き当て突部との係合を解除する係合リブを備える。
【００２０】
請求項９に記載の発明は、ポンプ式噴出器に、請求項１ないし８に記載の噴出装置を備え、トリガーレバーを回動操作することにより噴出装置のシリンダ室の内容物を吐出して後、容器の内容物をシリンダ室に吸い上げる、ことを特徴とする。
【００２１】
請求項１０に記載の発明は、エアゾール式噴出器に、請求項１ないし８に記載の噴出装置を備え、トリガーレバーを回動操作することにより容器の内容物を噴射剤の圧力で吐出する、ことを特徴とする。
【発明の効果】
【００２２】
請求項１および２に記載の発明によれば、ストッパ部材の外周にローレットを有し、そのローレットに手を触れてストッパ部材を回動してトリガーレバーの回動を阻止したりその回動阻止を解除したりするので、トリガーレバーや、それを支持する支柱が邪魔にならないところで手を触れてストッパ部材を回動し、しかもローレットで滑りなくストッパ部材を確実に回動することにより、ストッパ部材の操作性を向上することができる。特に、円筒状のストッパ部材に鍔部を設けてその鍔部の外周にローレットを形成すると、手を触れる部分の径を大きくして一層ストッパ部材の操作性を向上することができる。
【００２３】
請求項３および４に記載の発明によれば、外部操作によりストッパ部材を揺動するだけの簡単な操作で、トリガーレバーの回動を阻止したりその回動阻止を解除したりするので、ストッパ部材の操作性を向上することができる。特に、レバー状のストッパ部材の先端をトリガーレバーの開口から突出して外部操作により揺動可能とすると、突出する先端に手を触れることによりストッパ部材の揺動を容易として一層ストッパ部材の操作性を向上することができる。
【００２４】
請求項５および６に記載の発明によれば、外部操作によりストッパ部材を回動するだけの簡単な操作で、トリガーレバーの回動を阻止したりその回動阻止を解除したりするので、ストッパ部材の操作性を向上することができる。ストッパ部材を、外部操作レバーと、他の部材に突き当てる突き当てレバーと、それら外部操作レバーと突き当てレバーとを連結してトリガーレバーに取り付けることによりそれらを一体的に回動する支軸とで構成すると、外部操作する部分と、他の部材に突き当てる部分とを分けてそれぞれの機能に適した形状とすることができる。
【００２５】
請求項７および８に記載の発明によれば、外部操作によりストッパ部材をスライドするだけの簡単な操作で、トリガーレバーの回動を阻止したりその回動阻止を解除したりするので、ストッパ部材の操作性を向上することができる。
【００２６】
請求項９に記載の発明によれば、ポンプ式噴出器において、不使用時にトリガーレバーの回動を阻止するストッパ部材の操作性を向上することができる。
【００２７】
請求項１０に記載の発明によれば、エアゾール式噴出器において、不使用時にトリガーレバーの回動を阻止するストッパ部材の操作性を向上することができる。
【発明を実施するための最良の形態】
【００２８】
以下、図面を参照しつつ、この発明の実施の最良形態につき説明する。
図１にはこの発明によるポンプ式噴出器の噴出装置の外観を、図２にはその縦断面を示す。
【００２９】
図中符号１０は、容器である。容器１０は、プラスチック材料でボトル形状につくり、その口部１０ａ外周に雄ねじを設け、内部に内容物として、この例では化粧液を収納してなる。
【００３０】
その容器１０の口部１０ａには、噴出装置Ｐを取り付ける。
噴出装置Ｐには、ねじキャップ１２を設ける。ねじキャップ１２は、内周に雌ねじを有するとともに、頂部１２ａ中央に中心孔をあけてなる。そして、頂部１２ａをシリンダ１３のフランジ１３ａ上に乗せ、容器１０の口部１０ａに被せてねじ付け、口部１０ａとの間でパッキン１１を圧縮して取り付ける。
【００３１】
シリンダ１３は、下方に向けて段階的に順次小径とし、上部に、前述したフランジ１３ａを設けるとともに、そのすぐ下に径方向に貫通する空気吸込み孔１３ｂをあけ、またねじキャップ１２の中心孔を通して上端部を上向きに突出する。他方、シリンダ１３の下部には、内部に、下方に向けて漸次小径となる弁座１３ｃを設ける。弁座１３ｃの下には、管状の管取付口１３ｄを続けて設ける。そして、その管取付口１３ｄ内に吸上げパイプ１４の上端部を圧入する。
【００３２】
このようなシリンダ１３内には、ボール状の逆止弁１６を入れて弁座１３ｃ上に乗せてから、コイルバネ１７を挿入して段部上に乗せる。その後、コイルバネ１７上に載せて第１ピストン１８をシリンダ１３内に挿入する。
【００３３】
図２に示すように、そのような第１ピストン１８上には出口弁２０を載せ、これによりシリンダ１３内にシリンダ室Ｓを区画する。出口弁２０は、断面Ｈ型のものを環状に設けてなり、外周下端をシリンダ１３の内周面に押し当てるとともに、その外周下端よりやや短い内周下端を第１ピストン１８に押し当て、上向きに突出する内周筒部を第１ピストン１８の外周に小さな間隙を隔てて沿わせてなる。
【００３４】
第１ピストン１８上には、その第１ピストン１８とともにピストン２１を構成する第２ピストン２２を載せる。第２ピストン２２には、第１ピストン１８の上部を挿入し、内周面に出口弁２０の内周筒部の上端を押し当てる。
【００３５】
第２ピストン２２のまわりには、止めキャップ２３を取り付ける。止めキャップ２３は、キャップ部２３ａと、その頂部から同心にて上向きに突出する筒部２３ｂと、キャップ部２３ａの肩部から斜め上向きにのびる支柱部２３ｃとからなる。
【００３６】
キャップ部２３ａは、シリンダ１３の上端部まわりに被せるようにはめ付け、ねじキャップ１２の頂部１２ａを挟んでそのねじキャップ１２を抜け止めするとともに、シリンダ１３との間でパッキン２４を圧縮する。パッキン２４には、出口弁２０の外周上端を接触している。
【００３７】
筒部２３ｂには、外周の支柱部２３ｃ側から上向きにクリック係合部２３ｄを突出する。そして、上からストッパ部材２５を回動自在にはめ付ける。ストッパ部材２５は、図３からも判るとおり、筒部２３ｂにはめ付けるスカート部２５ａと、そのスカート部２５ａ上に同心に設ける円筒部２５ｂと、その円筒部２５ｂの周囲に設ける鍔部２５ｃとからなる。
【００３８】
円筒部２５ｂには、内周面上縁に段部２５ｄを形成するとともに、その段部２５ｄから１８０度の間隔をあけて２つ、下向きに逃げ凹部２５ｅを縦溝状にのばしてなり、入口にはテーパ２５ｆを設けている。また、外周面の下縁には、クリック突部２５ｇを９０度の間隔をあけて３つ設ける。そして、そのうちの１つのクリック突部２５ｇをクリック係合部２３ｄにクリック感をもって弾性的にはめ付け、ストッパ部材２５の回動位置をロック位置とロック解除位置とに位置決めする。また、鍔部２５ｃの外周には、ローレットを有する。
【００３９】
他方、止めキャップ２３の支柱部２３ｃは、先端にトリガーレバー２６の基端を回動自在に取り付ける。トリガーレバー２６は、直角に折れ曲がり、その曲げ部に切欠き２６ａを有する周面部２６ｂと、その両側に対向するように設ける側面部２６ｃとからなる。側面部２６ｃの内面には、下向きに係合凹部２６ｄを形成する。
【００４０】
係合凹部２６ｄは、ステム２７の円形の係合突部２７ａに係合する。ステム２７は、エルボ状にほぼ９０度に折り曲げて、垂直に設ける基端側の一重パイプ部２７ｂと、水平に設ける先端側の二重パイプ部２７ｃとで構成する。そして、図４に示すように、一重パイプ部２７ｂの上部両側には、上述した円形の係合突部２７ａと、それから下向きにのびる細長リブ状の突き当て突部２７ｄを設ける。
【００４１】
二重パイプ部２７ｃは、外筒部とそれよりやや突出する内筒部とからなり、図２に示すようにそれらの間にノズルホルダ２８の円筒基端２８ａ側をはめ付ける。ノズルホルダ２８には、先端側にノズル部材３０を取り付け、そのノズル部材３０に設ける噴口３０ａを、二重パイプ部２７ｃの内筒部内の吐出流路２７ｅに連通する。
【００４２】
ステム２７は、一重パイプ部２７ｂを、ストッパ部材２５の円筒部２５ｂに貫挿してから止めキャップ２３の筒部２３ｂ内に挿入して第２ピストン２２に被せ、ノズルホルダ２８をトリガーレバー２６の切欠き２６ａを通して外に向けて突出する。そして、ステム２７の吐出流路２７ｅを、第２ピストン２２内の流路２２ａと連通するとともに、係合突部２７ａ上に係合凹部２６ｄを乗せる。これにより、ストッパ部材２５は、ステム２７まわりに回動可能に取り付ける。
【００４３】
そして、不使用時は、ストッパ部材２５の鍔部２５ｃ外周のローレットに手を触れて回動することにより、ストッパ部材２５を図１および図２に示すロック位置とし、３つのうちの真ん中のクリック突部２５ｇをクリック係合部２３ｄにクリック感をもってはめ付け、ストッパ部材２５をロック位置とする。すると、このとき指掛け部２６ｅに指を掛け、トリガーレバー２６を回動しようとしても、ステム２７の突き当て突部２７ｄがストッパ部材２５の段部２５ｄに突き当たり、ステム２７の押し下げを不能としてトリガーレバー２６の回動を規制し、ピストン２１の押し込みを妨げる。
【００４４】
いま、この噴出器を使用するときは、容器１０を持って鍔部２５ｃ外周のローレットに手を触れてストッパ部材２５を回動することにより、クリック係合部２３ｄにはめ付けていない別のクリック突部２５ｇのいずれか一方をクリック係合部２３ｄにクリック感をもってはめ付け、ストッパ部材２５をロック解除位置とする。
【００４５】
その後、指掛け部２６ｅに指を掛け、図５に示すようにトリガーレバー２６を反時計方向に回動すると、ステム２７の突き当て突部２７ｄがストッパ部材２５の逃げ凹部２５ｅ内に入り込み、ステム２７が突き当たることなくステム２７の押し下げを可能として出口弁２０をともなってピストン２１をコイルバネ１７に抗して押し込み、シリンダ室Ｓの圧力を上昇する。
【００４６】
シリンダ室Ｓの圧力が一定以上となると、出口弁２０を開いて第１ピストン１８との間に隙間をつくり、シリンダ室Ｓの内容物を第２ピストン２２内に入れ、第２ピストン２２の流路２２ａを通してステム２７の吐出流路２７ｅに入れ、ステム２７内を通して先端の噴口３０ａから外部へと吐出する。そして、やがて第１ピストン１８を、シリンダ１３に当てて止める。
【００４７】
そして、シリンダ室Ｓの内容物を吐出してシリンダ室Ｓの圧力が低下すると、出口弁２０を押し下げて、再び第１ピストン１８に出口弁２０を押し当て、指掛け部２６ｅから指を離すとともに、コイルバネ１７の付勢力によりピストン２１およびステム２７を上昇し、トリガーレバー２６を時計方向に回動して元の状態に戻す。
【００４８】
すると、シリンダ室Ｓの圧力が負圧化してボール弁１６を開き、容器１０の内容物を吸上げパイプ１４を通してシリンダ室Ｓに吸い上げる。そして、シリンダ室Ｓの圧力が大気圧となったところで、再びボール弁１６が弁座１３ｃ上に落下して吸込み口を塞ぐ。
【００４９】
そこで、トリガーレバー２６を回動すると、内容物を噴口３０ａから再度噴出することができる。この繰り返しにより、容器１０の内容物がなくなるまで何度でも吐出することができる。
【００５０】
使用を中断するときは、鍔部２５ｃ外周のローレットに手を触れてストッパ部材２５をピストン２１の往復動方向まわりに回動し、再び図１や図２に示すロック位置としてステム２７の押し下げを阻止し、トリガーレバー２６の回動を規制する。
【００５１】
図６にはこの発明による他例のポンプ式噴出器の噴出装置の外観を、図７にはその縦断面を示す。この例で示す噴出装置Ｐは、基本的には上述した図１ないし図５に示す噴出装置と同様であり、対応部分には同一の符号を付してなる。
【００５２】
この図６および図７に示す例では、上述した図１ないし図５に示す噴出装置Ｐの円筒状のストッパ部材２５に代えて、レバー状のストッパ部材３５を用いる。すなわち、片側の途中に凸部３５ａを設けて真っ直ぐにのびるストッパ部材３５を、ステム２７の作動方向、つまり一重パイプ部２７ｂと平行に配置して、下端を止めキャップ２３のキャップ部２３ａ上に載せ、先端をトリガーレバー２６の周面部２６ｂにあけた長孔状の開口２６ｆを通して上向きに突出し、その突出する先端に指を掛けて下端を支点として外部操作により揺動可能に設ける。
【００５３】
そして、不使用時は、外部操作によりストッパ部材３５を揺動して、図中実線で示すロック位置とすることにより、そのストッパ部材３５の凸部３５ａにトリガーレバー２６のリブ２６ｇを突き当ててそのトリガーレバー２６の回動を阻止する。使用時は、外部操作によりストッパ部材３５を揺動して、図中鎖線で示すロック解除位置とすることにより、凸部３５ａを退避してトリガーレバー２６の回動阻止を解除し、トリガーレバー２６を回動してステム２７を押し下げ、出口弁２０を開いて容器１０の内容物をステム２７内を通して先端の噴口３０ａから吐出する。
【００５４】
なお、この例では、図１ないし図５に示す例で、ステム２７に形成した突き当て突部２７ｄをなくし、またその突き当て突部２７ｄを突き当てた段部２５ｄをなくしており、ストッパ部材２５の位置に止めキャップ２３の筒部２３ｂにはめ付けて、ステム２７を貫挿してそのステム２７まわりに回転しても回転しなくても良い単なる筒状部材３６を設けてなる。図１ないし図５に示す例で、止めキャップ２３に形成したクリック係合部２３ｄなども不要とすることができる。
【００５５】
図８にはこの発明によるさらに他例のポンプ式噴出器の噴出装置の外観を、図９にはそのストッパ部材を取り付けるトリガーレバーの縦断面を、図１０にはその噴出装置全体の縦断面を示す。この例で示す噴出装置Ｐも、基本的には上述した図１ないし図５に示す噴出装置と同様であり、対応部分には同一の符号を付してなる。
【００５６】
この図８ないし図１０に示す例では、上述した図１ないし図５に示す噴出装置Ｐの円筒状のストッパ部材２５に代えて、レバー状のストッパ部材４５を用いる。ストッパ部材４５は、外部操作レバー４６と、円筒部材４７に突き当てる突き当てレバー４８と、それら外部操作レバー４６と突き当てレバー４８とを連結してトリガーレバー２６の両側の側面部２６ｃに取り付けることによりそれらを一体的に回動する支軸４９とで構成する。外部操作レバー４６は側面部２６ｃの外側に設け、突き当てレバー４８は内側に設けて、両側の突き当てレバー４８は連結部５０で連結してなる。
【００５７】
円筒部材４７は、ストッパ部材２５の位置に止めキャップ２３の筒部２３ｂにはめ付けて、ステム２７を貫挿してそのステム２７まわりに設けてなる。回転しても回転しなくても良い。
【００５８】
そして、不使用時は、外部操作レバー４６を外部操作することにより全体を回動して、ストッパ部材４５を図示するロック位置とすることにより、トリガーレバー２７を回動したときそのトリガーレバー２７に取り付けるストッパ部材４５の突き当てレバー４８を円筒部材４７に突き当ててトリガーレバー２６の回動を阻止する。使用時は、外部操作レバー４６を外部操作により回動して、ストッパ部材４５をロック解除位置とすることにより、トリガーレバー２６の回動阻止を解除し、トリガーレバー２６を回動してステム２７を押し下げ、出口弁２０を開いて容器１０の内容物をステム２７内を通して先端の噴口３０ａから吐出する。
【００５９】
図１１にはこの発明によるまたさらに他例のポンプ式噴出器の噴出装置の外観を、図１２にはそのストッパ部材をロック解除位置としたときの噴出装置全体の縦断面を、図１３にはストッパ部材をロック位置としたときの噴出装置全体の縦断面を示す。この例で示す噴出装置Ｐも、基本的には上述した図１ないし図５に示す噴出装置と同様であり、対応部分には同一の符号を付してなる。
【００６０】
この図１１ないし図１３に示す例では、上述した図１ないし図５に示す噴出装置Ｐの円筒状のストッパ部材２５に代えて、ストッパ部材５５を用いる。ストッパ部材５５は、平行な一対の矩形板状の外部操作部材５６と、その内面に形成する直線状の係合リブ５７と、同じく外部操作部材５６の内面に係合リブ５７とほぼ平行に形成する直線レール５８と、それらの直線レール５８の一端間をつないで両側の外部操作部材５６を一体化する連結部５９とで構成する。
【００６１】
そのストッパ部材５５は、両側の直線レール５８を溝６０にはめ付けてストッパ支持部材６１に取り付け、両側の外部操作部材５６をトリガーレバー２６の両側の側面部２６ｃ外側に配置する。そして、外部操作部材５６を持って外部操作することにより直線レール５８を溝６０で案内して、ストッパ部材５５をステム２７の作動方向と直交する方向にスライド可能に設ける。
【００６２】
これにより、ストッパ部材５５を外部操作によりスライドすることにより、使用時は、ストッパ部材５５を図１２に示すロック解除位置として係合リブ５７を突き当て突部２７ｄの移動範囲から退避してステム２７の押し下げ阻止を解除し、トリガーレバー２６を回動してステム２７を押し下げ、出口弁２０を開いて容器１０の内容物をステム２７内を通して先端の噴口３０ａから吐出する。
【００６３】
一方、不使用時は、ストッパ部材５５を図１３に示すロック位置として係合リブ５７を突き当て突部２７ｄの移動範囲に入れ、そのストッパ部材５５にステム２７の突き当て突部２７ｄを突き当ててステム２７の押し下げを阻止することによりトリガーレバー２６の回動を阻止する。
【００６４】
ところで、上述したすべての例では、ポンプ式噴出器において、ストッパ部材２５の操作性を向上した。しかし、ポンプ式ではなく、エアゾール式噴出器に適用し、同様に図１から図１３に示すストッパ部材２５、３５、４５、５５を設けることにより、同様の効果を得ることができる。
【図面の簡単な説明】
【００６５】
【図１】この発明によるポンプ式噴出器の噴出装置の外観図である。
【図２】その縦断面図である。
【図３】同噴出装置で使用するストッパ部材の斜視図である。
【図４】同噴出装置で使用するステムの斜視図である。
【図５】トリガーレバーを回動した状態における同噴出装置の縦断面図である。
【図６】この発明による他例のポンプ式噴出器の噴出装置の外観図である。
【図７】その縦断面図である。
【図８】この発明によるさらに他例のポンプ式噴出器の噴出装置の外観図である。
【図９】その噴出装置で使用するトリガーレバーの縦断面図である。
【図１０】同噴出装置全体の縦断面図である。
【図１１】この発明によるまたさらに他例のポンプ式噴出器の噴出装置の外観図である。
【図１２】そのストッパ部材をロック解除位置としたときの噴出装置全体の縦断面図である。
【図１３】そのストッパ部材をロック位置としたときの噴出装置全体の縦断面図である。
【図１４】従来の噴出装置の縦断面図である。
【符号の説明】
【００６６】
１０    容器
２０    出口弁
２５    ストッパ部材
２５ｃ  ストッパ部材の鍔部
２６    トリガーレバー
２６ｆ  トリガーレバーの開口
２７    ステム
２７ｄ  突き当て突部
３０ａ  噴口
３５    ストッパ部材
３５ａ  ストッパ部材の凸部
４５    ストッパ部材
４６    外部操作レバー
４７    円筒部材（他の部材）
４８    突き当てレバー
４９    支軸
５５    ストッパ部材
５７    係合リブ
Ｐ      噴出装置
Ｓ      シリンダ室
【図１】
2008030798.tif 000003
【図２】
2008030798.tif 000004
【図３】
2008030798.tif 000005
【図４】
2008030798.tif 000006
【図５】
2008030798.tif 000007
【図６】
2008030798.tif 000008
【図７】
2008030798.tif 000009
【図８】
2008030798.tif 000010
【図９】
2008030798.tif 000011
【図１０】
2008030798.tif 000012
【図１１】
2008030798.tif 000013
【図１２】
2008030798.tif 000014
【図１３】
2008030798.tif 000015
【図１４】
2008030798.tif 000016